(57)【要約】【課題】高い精度で生体情報を検出できるようにする。【解決手段】ペーパーホルダ付きリモコンユニット２０は、便器本体１２と便座１４を有する便器装置１１に付帯して設けられ、筐体２３の上面に配置され、上下方向の回転軸２８を中心として回転可能な回転部材２７と、回転部材２７に一体回転可能に設けられ、指先を当てることで生体情報を検出するセンサ２９とを備えている。センサ２９は、ペーパーホルダ付きリモコンユニット２０の筐体２３の上面において、上下方向の回転軸２８を中心として回転可能となっている。これにより、便座１４への着座者は、無理な体勢を強いられることなく、指先をセンサ２９に当てることができる。【選択図】図２
2019080639.tif 000002
【特許請求の範囲】
【請求項１】
便器本体と便座を有する便器装置に付帯して設けられるものであり、
筐体に設けられ、上下方向の回転軸を中心として回転可能な回転部材と、
前記回転部材に一体回転可能に設けられ、指先を当てることで生体情報を検出するセンサとを備えていることを特徴とするトイレ用付帯装置。
【請求項２】
前記回転部材に設けられ、前記センサに当てた指先と対向するように配置されたガイド部を備えていることを特徴とする請求項１記載のトイレ用付帯装置。
【請求項３】
一対の前記ガイド部が、前記センサを挟むように配置されていることを特徴とする請求項２記載のトイレ用付帯装置。
【請求項４】
前記回転部材には、前記回転部材に対し径方向に相対変位可能なスライダが設けられ、
前記センサが前記スライダに一体的に変位し得るように設けられていることを特徴とする請求項１ないし請求項３のいずれか１項に記載のトイレ用付帯装置。
【請求項５】
前記センサの平面視の中心が、前記回転軸から径方向に偏心した位置に配置されていることを特徴とする請求項１ないし請求項３のいずれか１項に記載のトイレ用付帯装置。
【請求項６】
トイレットペーパーを保持するホルダ機能部と、前記ホルダ機能部の上面に載置された形態であって前記便器装置に付帯する電動装置を遠隔操作するリモコン機能部とを備えて構成され、
前記回転部材が前記リモコン機能部の上面に設けられていることを特徴とする請求項１ないし請求項５のいずれか１項記載のトイレ用付帯装置。
【請求項７】
便器本体と便座を有する便器装置と、
請求項１ないし請求項６のいずれかのトイレ用付帯装置とを備えていることを特徴とするトイレ装置。
【発明の詳細な説明】
【技術分野】
【０００１】
本発明は、トイレ用付帯装置及びトイレ装置に関する。
【背景技術】
【０００２】
特許文献１には、指先から検出した生体情報に基づいて健康状態を簡易的に測定することが可能な手段として、トイレットペーパーホルダに血圧測定用のセンサ（指カフ）を設ける技術が開示されている。家庭のトイレ内はプライバシーが保たれて気持ちが落ち着き易く、また、排便後は副交感神経が優位になるため血流が安定し易い。したがって、センサによる血圧測定をトイレで行うことは、測定精度を高めるという点で好ましい。特許文献１のトイレットペーパーホルダでは、センサがトイレットペーパーホルダの上面に設けられており、血圧を測定する際には、便座への着座者が、指先をセンサに差し込むようになっている。
【先行技術文献】
【特許文献】
【０００３】
【特許文献１】特開平８−６６３３５号公報
【発明の概要】
【発明が解決しようとする課題】
【０００４】
センサはトイレットペーパーホルダに固定されていて、センサに指を差し込む向きは決まっている。一方、トイレットペーパーホルダの取付け位置は、便座への着座者にとってトイレットペーパーを繰り出し易いことを優先して設定される。そのため、トイレットペーパーホルダの取付け位置や向きによっては、指カフに指を差し込み難くなり、便座への着座者が血圧測定時に上半身を捻る等の無理な体勢を強いられる虞がある。
【０００５】
本発明は、上記従来の実情に鑑みてなされたものであって、センサに指を当てる動作を楽な体勢で行えるようにすることを解決すべき課題としている。
【課題を解決するための手段】
【０００６】
第１の発明のトイレ用付帯装置は、
便器本体と便座を有する便器装置に付帯して設けられるものであり、
筐体に設けられ、上下方向の回転軸を中心として回転可能な回転部材と、
前記回転部材に一体回転可能に設けられ、指先を当てることで生体情報を検出するセンサとを備えていることを特徴とする。
【０００７】
第２の発明のトイレ装置は、
便器本体と便座を有する便器装置と、
前記便器装置に付帯して設けられたトイレ用付帯装置とを備え、
前記トイレ用付帯装置は、
筐体に設けられ、上下方向の回転軸を中心として回転可能な回転部材と、
前記回転部材に一体回転可能に設けられ、指先を当てることで生体情報を検出するセンサとを備えて構成されていることを特徴とする。
【発明の効果】
【０００８】
センサは、上下方向の回転軸を中心として回転可能となっている。これにより、便座への着座者は、無理な体勢を強いられることなく、指先をセンサに当てることができる。したがって、センサに指を当てる動作を楽な体勢で行うことができる。
【図面の簡単な説明】
【０００９】
【図１】実施例１のトイレ装置の斜視図
【図２】トイレ用付帯装置の斜視図
【図３】回転部材とセンサの拡大平面図
【図４】図３の状態から回転部材とセンサが回転した状態をあらわす部分拡大平面図
【図５】実施例２のトイレ用付帯装置の斜視図
【図６】回転部材とセンサの拡大平面図
【図７】図３の状態から回転部材とセンサが回転した状態をあらわす拡大平面図
【図８】図７の状態から回転部材とセンサが回転した状態をあらわす拡大平面図
【図９】実施例３のトイレ用付帯装置における回転部材とセンサの拡大平面図
【図１０】図８の状態からスライダが回転部材の中心側へスライドした状態をあらわす拡大平面図
【図１１】実施例４のトイレ用付帯装置における回転部材とセンサの拡大平面図
【図１２】図１１の状態からスライダが回転部材の中心側へスライドした状態をあらわす拡大平面図
【発明を実施するための形態】
【００１０】
第１及び第２の発明は、前記回転部材に設けられ、前記センサに当てた指先と対向するように配置されたガイド部を備えていてもよい。この構成によれば、指がセンサから外れ難い。
【００１１】
第１及び第２の発明は、一対の前記ガイド部が、前記センサを挟むように配置されていてもよい。この構成によれば、センサに指先を当てた状態で回転部材とセンサが回転しても、指がセンサから外れ難い。
【００１２】
第１及び第２の発明は、前記回転部材には、前記回転部材に対し径方向に相対変位可能なスライダが設けられ、前記センサが前記スライダに一体的に変位し得るように設けられていてもよい。この構成によれば、センサが、回転軸を中心とする周方向と、回転軸から放射する方向となる径方向との両方向に変位し得るようになっているので、便座への着座者は、楽な姿勢で指先をセンサに当てることができる。
【００１３】
第１及び第２の発明は、前記センサの平面視の中心が、前記回転軸から径方向に偏心した位置に配置されていてもよい。この構成によれば、回転部材を回転させると、センサが回転軸を中心として旋回するように変位するので、センサの変位量が大きくなる。
【００１４】
第１及び第２の発明は、前記トイレ付帯装置が、トイレットペーパーを保持するホルダ機能部と、前記ホルダ機能部の上面に載置された形態であって前記便器装置に付帯する電動装置を遠隔操作するリモコン機能部とを備えて構成され、前記回転部材が前記リモコン機能部の上面に設けられていてもよい。この構成によれば、トイレットペーパーを保持するホルダ機能部の上面は比較的広いので、回転部材とセンサが設けられているリモコン機能部の上面の面積も、比較的広い。これにより、センサに指先を当てているときに、他の指をリモコン機能部の上面に載せておくことができるので、センサによる測定を楽な体勢で行うことができる。
【００１５】
＜実施例１＞
以下、本発明を具体化した実施例１を図１〜図４を参照して説明する。尚、以下の説明において、前後の方向については、図１，２における右方を前方と定義する。上下の方向については、図１，２にあらわれる向きを、そのまま上方、下方と定義する。
【００１６】
本実施例１のトイレ装置１０は、便器装置１１と、便器装置１１に付帯して設けたペーパーホルダ付きリモコンユニット２０（請求項に記載のトイレ用付帯装置）と、センサ２９とを備えて構成されている。便器装置１１は、便鉢部１３や排水路等が形成された便器本体１２と、便器本体１２の上面に取り付けられた便座１４と、便器本体１２の上面の開口部を開閉する便蓋１５と、便器本体１２に供給するための洗浄水を貯留する給水用タンク１６を備えている。トイレ装置１０は、便器装置１１に付帯して設けた電動装置１７を備えている。
【００１７】
図１には、電動装置１７の一例として局部洗浄装置１８が示されている。電動装置１７は、ペーパーホルダ付きリモコンユニット２０を構成するリモコン機能部２２によって遠隔操作されるものである。局部洗浄装置１８以外の電動装置１７としては、便器洗浄装置（図示省略）、擬音装置（図示省略）、便蓋１５開閉装置（図示省略）、便座１４開閉装置（図示省略）、便座１４暖房装置（図示省略）、温風装置（図示省略）、消臭装置（図示省略）等がある。
【００１８】
ペーパーホルダ付きリモコンユニット２０は、２つのトイレットペーパーＰを幅方向に且つ同軸状に並べて保持するホルダ機能部２１と、上記電動装置１７を遠隔操作する手段であるリモコン機能部２２（トイレ用リモコン）とを備えて構成されている。ペーパーホルダ付きリモコンユニット２０は、トイレ室の壁面に対しホルダ機能部２１の背面を当接させた状態で固定されている。リモコン機能部２２は、全体として高さ寸法に対して幅寸法と奥行き寸法の大きい偏平なブロック状をなし、ホルダ機能部２１の上面に載置した形態で一体化されている。
【００１９】
リモコン機能部２２は、ホルダ機能部２１の上面の全領域に一体化された筐体２３と、筐体２３の外面に設けられた複数の操作部２５と、センサ２９と、バッテリー（図示省略）とを備えて構成されている。筐体２３の正面（壁面と正対したときに見える面）は、幅方向に長い略長方形をなす操作面２４となっている。操作面２４は、鉛直方向に対して傾斜した平面からなり、壁面からの水平距離が筐体２３の上端から下端に向かって次第に大きくなるような向きに傾斜している。操作面２４には複数の操作部２５が配置されている。
【００２０】
筐体２３の上面は、操作面２４に対して所定角度（９０°より僅かに大きい角度）をなす水平な指当て面２６となっている。指当て面２６の幅方向中央部には、回転部材２７とセンサ２９とモニター３０が設けられている。回転部材２７とセンサ２９は、奥行き方向に関して筐体２３の背面側（壁面に近い側）の位置に配置され、モニター３０は、奥行き方向に関して操作面２４に近い位置に配置されている。
【００２１】
回転部材２７は、平面視形状が円形をなす板状の部材である。回転部材２７は、筐体２３に対し、上下方向（筐体２３の上面と略直交する方向）の回転軸２８を中心として正逆両方向へ回転し得るように且つ回転角度の制約なく自在に回転し得るように設けられている。センサ２９は、縦長の長方形をなし、第２指（人差し指）の指先（第１関節から指の先端側の部分）より一回り小さい寸法である。換言すると、第２指の指先をセンサ２９に当てたときに、その指先でセンサ２９の全体が隠れる程度の大きさである。
【００２２】
センサ２９は、回転部材２７の上面に一体回転し得るように設けられている。回転部材２７の上面におけるセンサ２９の位置は、センサ２９の平面視形状の中心２９Ａを回転軸２８に対し径方向へ偏心させた位置に設定されている。また、センサ２９の外周縁の長辺が回転部材２７の径方向と直交する向きとなっている。図３，４に示すように、回転部材２７が回転すると、これに伴って、センサ２９は向きを変えながら回転軸２８の回りを旋回するように変位するようになっている。
【００２３】
センサ２９は、リモコン機能部２２内に設けた情報処理部（図示省略）及びモニター３０とともに生体情報機器３１を構成するものである。生体情報機器３１は、指先からの生体情報（脈波、心拍数、血圧、体温、静脈パターン、指紋等）に基づき、血管年齢、ストレス度等の健康状態の簡易的な測定や、個人を特定するための生体認証等を行うものである。
【００２４】
センサ２９の表面に指先の腹が当てられると、センサ２９は、指先から生体情報を検出し、その検出情報を電気信号として情報処理部へ出力する。情報処理部では、センサ２９からの検出信号（生体情報）に基づいて演算処理を行い、その演算結果を健康状態の簡易測定値や個人認証情報等としてモニター３０に出力する。モニター３０には、センサ２９で生体情報を検出することによって得られた健康状態や個人認証情報等が表示される。
【００２５】
本実施例１の生体情報機器３１は血管年齢を簡易的に測定するものであり、センサ２９は指先から脈波を検出する。センサ２９は、波長の異なる検知光を発する一対の発光素子３２と、１つの受光素子３３とを備えている。一対の発光素子３２と受光素子３３は、センサ２９の外周縁の長辺方向にほぼ一列に並ぶように配置されている。
【００２６】
脈波を検出する際には、指の長さ方向が３つの素子３２，３３の並び方向（センサ２９の外周縁の長辺方向）に沿うような向きで、指先をセンサ２９に当てる必要がある。センサ２９に指先を当てると、一方の発光素子３２から発せられた検知光が動脈で反射して受光素子３３で受光され、他方の発光素子３２から発せられた検知光が静脈で反射して受光素子３３で受光され、これらの検知光により動脈と静脈の脈波が検出される。
【００２７】
本実施例１のペーパーホルダ付きリモコンユニット２０は、トイレの使用者（図示省略）が便座１４に着座したままでリモコン機能部２２の操作部２５を操作することを考慮し、操作のし易さを優先して設定されている。即ち、ペーパーホルダ付きリモコンユニット２０は、上下方向に関しては、便座１４よりも上方の位置、即ち便座１４への着座者の心臓に比較的近い高さに配置される。また、トイレ室の前後方向に関しては、便座１４への着座者が、指先で操作部２５を操作しようとするときに、上半身を捻るなどの無理な体勢を強いられる虞のない位置に配置される。
【００２８】
このペーパーホルダ付きリモコンユニット２０は、センサ２９を備えているので、便座１４への着座者が指先をセンサ２９に当てることにより、血流の脈波を検出して血管年齢を測定すること等が可能である。家庭のトイレ内はプライバシーが保たれて気持ちが落ち着き易く、また、排便後は副交感神経が優位になるため血流が安定し易い。したがって、センサ２９による脈波測定をトイレで行うことは、検出精度を高めるという点で好ましい。
【００２９】
また、本実施例１では、センサ２９が操作部２５と同じくリモコン機能部２２の操作面２４に配置されているので、便座１４への着座者がセンサ２９に指先を当てるときにも、その指は比較的心臓に近い高さまで持ち上げることになる。しかも、着座者は上半身を捻るなどの無理な体勢を強いられることもない。したがって、センサ２９に指先を当てる動作（測定動作）を楽な体勢で行うことかできる。
【００３０】
特に、センサ２９は、リモコン機能部２２の上面で自在に回転する回転部材２７に取り付けられているので、向きを自在に変えることができる。したがって、便座１４への着座者が指先を適正な向きでセンサ２９に載せようとするときには、回転部材２７を回転させて指先を載せ易いようにセンサ２９の向きを調整すればよい。このようにすれば、便座１４への着座者は、無理な体勢を強いられることなく、センサ２９による生体情報の測定を行うことができる。これにより、センサ２９による生体情報の検出を高い精度で行うことができる。
【００３１】
また、センサ２９は筐体２３の上面に配置されているので、センサ２９に指先を載せたときに、センサ２９から指先への反力が過大になったり過小になったりする虞がない。これにより、センサ２９で脈波を検出する場合における検出精度が高くなっている。
【００３２】
また、センサ２９の平面視の中心２９Ａが、回転部材２７の回転軸２８から径方向に偏心した位置に配置されている。この構成によれば、回転部材２７を回転させると、センサ２９が回転軸２８（図３，４を参照）を中心として旋回するように変位するので、センサ２９の変位量が大きくなる。これにより、センサ２９の位置の向きの調整の自由度が高まるので、便座１４への着座者は、センサ２９による測定を楽な体勢で行うことができる。
【００３３】
さらに、左手の第２指（人差し指）をセンサ２９に当てると、同じく左手の第１指（親指）が自然に操作面２４と対応するように位置する。したがって、片方の手だけで、センサ２９に第２指を当てて生体情報の検出を行いながら、同時に、第１指で操作部２５を操作することが可能である。
【００３４】
また、ペーパーホルダ付きリモコンユニット２０は、トイレットペーパーＰを保持するホルダ機能部２１と、ホルダ機能部２１の上面に載置された形態であって便器装置１１に付帯する電動装置１７を遠隔操作するリモコン機能部２２とを備えて構成されており、回転部材２７とセンサ２９がリモコン機能部２２の上面に設けられている。ホルダ機能部２１はトイレットペーパーＰを保持するものなので、ホルダ機能部２１の上面は比較的広い。
【００３５】
したがって、ホルダ機能部２１の上面に載置するように設けられているリモコン機能部２２の上面も比較的広い。この点に着目し、この面積の大きいリモコン機能部２２の上面に回転部材２７とセンサ２９を設けた。これにより、センサ２９に指先を当てているときに、他の指をリモコン機能部２２の上面に載せておくことができるので、センサ２９による検出（測定）を楽な体勢で行うことができる。
【００３６】
また、ペーパーホルダ付きリモコンユニット２０をトイレ室の左右どちらの壁面に取り付けた場合でも、回転部材２７を回転させてセンサ２９の向きを変えることにより、センサ２９に指先を当てる動作（測定動作）を楽な体勢で行うことができる。
【００３７】
＜実施例２＞
次に、本発明を具体化した実施例２を図５〜図８を参照して説明する。本実施例２のペーパーホルダ付きリモコンユニット４０（請求項に記載のトイレ用付帯装置）は、ホルダ機能部２１（実施例１と同じ構成）とリモコン機能部４１（トイレ用リモコン）とを備えて構成されており、リモコン機能部４１におけるセンサ２９の取付け形態を上記実施例１とは異なる構成としたものである。その他の構成については上記実施例１と同じであるため、同じ構成については、同一符号を付し、構造、作用及び効果の説明は省略する。
【００３８】
リモコン機能部４１の筐体４２の操作面４３（正面）には複数の操作部４４が設けられ、筐体４２の水平な指当て面４５（上面）には、回転部材４６とセンサ２９とガイド部４８とが設けられている。回転部材４６は、円形の板状部材であり、筐体４２に対し上下方向の回転軸４７を中心として正逆両方向へ且つ回転角度の制約なく自在に回転し得るように設けられている。センサ２９は、実施例１と同じ構成なので、詳細な説明は省略する。
【００３９】
センサ２９は、回転部材４６の上面に一体回転し得るように設けられている。回転部材４６の上面におけるセンサ２９の位置は、センサ２９の平面視形状の中心２９Ａを回転軸４７に対し径方向へ偏心させた位置に設定されている。また、センサ２９の外周縁の長辺が回転部材４６の径方向と直交する向きとなっている。図７，８に示すように、回転部材４６が回転すると、これに伴って、センサ２９は向きを変えながら回転軸４７の回りを旋回するように変位するようになっている。
【００４０】
また、回転部材４６の上面には、一対のガイド部４８が回転部材４６と一体に回転し得るように形成されている。一対のガイド部４８は、回転部材４６の上面から略直角に且つ方形の壁状に立ち上がった形態である。一対のガイド部４８は、センサ２９の外周縁における一対の長辺に沿うように、且つセンサ２９を両側から挟むような位置関係で配置されている。
【００４１】
したがって、センサ２９に指先を載せて当てるときには、その指先を一対のガイド部４８の間に差し入れるようにする。センサ２９に当てた指先は、一対のガイド部４８によって左右両側方から挟まれた状態となる。このとき、指先とガイド部４８との間には、指先を抜き挿しできるような隙間が空くようになっている。
【００４２】
したがって、便座への着座者がセンサ２９に指先を当てて脈波の検出（血管年齢の測定等）を行う際には、指先がセンサ２９から左右いずれの方向へ外れようとした場合でも、指先がいずれかのガイド部４８に当たるので、指先をセンサ２９に当てた状態に確実に保つことができる。また、指先でガイド部４８を押すことにより、センサ２９と一体的に指先の向きや位置を自在に変えることができる。
【００４３】
このとき、回転部材４６の回転方向が正逆いずれの方向であっても、指がセンサ２９から外れることはない。指先とセンサ２９の向きと位置を変えるようにすれば、便座への着座者は、無理な体勢を強いられることなく、センサ２９による生体情報の測定を行うことができる。これにより、センサ２９による生体情報の検出を高い精度で行うことができる。
【００４４】
また、センサ２９の平面視の中心２９Ａが、回転部材４６の回転軸４７から径方向に偏心した位置に配置されている。この構成によれば、回転部材４６を回転させると、センサ２９が回転軸４７を中心として旋回（公転）するように変位するので、センサ２９の変位量が大きくなる。これにより、センサ２９の位置の向きの調整の自由度が高まるので、便座への着座者は、センサ２９による測定を楽な体勢で行うことができる。
【００４５】
＜実施例３＞
次に、本発明を具体化した実施例３を図９〜図１０を参照して説明する。本実施例２のペーパーホルダ付きリモコンユニット５０（請求項に記載のトイレ用付帯装置）は、ホルダ機能部（図示省略）とリモコン機能部５１（トイレ用リモコン）とを備えて構成されており、リモコン機能部５１におけるセンサ２９の取付け形態を上記実施例１とは異なる構成としたものである。その他の構成については上記実施例１、２と同じであるため、同じ構成については、同一符号を付し、構造、作用及び効果の説明は省略する。
【００４６】
リモコン機能部５１の筐体５２の水平な指当て面５３（上面）には、回転部材５４とスライダ６０とガイド部６２とセンサ２９とが設けられている。回転部材５４は、円形の板状部材であり、筐体５２に対し上下方向の回転軸５５を中心として正逆両方向へ且つ回転角度の制約なく自在に回転し得るように設けられている。回転部材５４には、回転部材５４の上面に開口した収容凹部５６が形成されている。収容凹部５６の開口縁部の平面視形状は、回転部材５４の外周縁の内側に沿った一対の円弧状開口縁５７と、一対の円弧状開口縁５７の周方向両端同士を連結する一対の直線状開口縁５８とから構成された形状（長円形に近い形状）である。
【００４７】
一対の直線状開口縁５８は、互いに平行をなし、回転部材５４の回転軸５５を挟んで対称な位置関係となっている。したがって、一対の直線状開口縁５８は、回転部材５４において回転軸５５を通る径方向に対して平行をなしている。収容凹部５６の内側面のうち一対の直線状開口縁５８に沿った領域には、一対のガイドリブ５９が形成されている。一対のガイドリブ５９は一対の直線状開口縁５８の全長に亘って形成されている。
【００４８】
回転部材５４には、スライダ６０が一体回転し得るように取り付けられている。スライダ６０の平面視形状は、円弧状開口縁５７と同じ曲率の一対の円弧部６０Ｃと、一対の円弧部６０Ｃの周方向両端同士を連結する一対の直線部６０Ｓとから構成された形状（長円形に近い形状）である。一対の直線部６０Ｓ同士の間隔は、一対の直線状開口縁５８同士の間隔とほぼ同じ寸法である。直線部６０Ｓの長さは直線状開口縁５８の長さよりも短い。スライダ６０の外側面のうち一対の直線部６０Ｓに沿った領域には、一対のガイド溝６１が形成されている。一対のガイドリブ５９は一対の直線状開口縁５８の全長に亘って形成されている。
【００４９】
スライダ６０は、一対のガイド溝６１を一対のガイドリブ５９に摺動可能に嵌合させて収容凹部５６に収容された状態で、回転部材５４に取り付けられている。ガイド溝６１の長さは、ガイドリブ５９の長さよりも短いので、スライダ６０は、ガイドリブ５９に沿って回転部材５４の径方向にスライドし得るようになっている。つまり、スライダ６０は、回転部材５４に対し回転軸５５を中心として一体的に回転可能となっているとともに、回転部材５４に対し径方向（回転軸５５と直交する水平方向）へ相対変位し得るようになっている。
【００５０】
スライダ６０の上面には、実施例１，２と同一形態のセンサ２９が一体的に変位し得るように設けられている。センサ２９は、その外周縁の短辺がガイドリブ５９と平行をなす向きに配置されている。つまり、一対の発光素子３２と１つの受光素子３３の並ぶ方向は、回転部材５４に対するスライダ６０の相対変位方向と直角となる。
【００５１】
また、スライダ６０の上面には、一対のガイド部６２がスライダ６０と一体に移動し得るように形成されている。一対のガイド部６２は、スライダ６０の上面から略直角に且つ方形の壁状に立ち上がった形態である。一対のガイド部６２は、センサ２９の外周縁における一対の長辺に沿うように、且つセンサ２９を両側から挟むような位置関係で配置されている。
【００５２】
したがって、ガイド部６２とセンサ２９の並び方向（ガイド部６２がセンサ２９を挟んで対向する方向）は、回転部材５４に対するスライダ６０の相対変位方向と平行である。センサ２９に指先を載せて当てるときには、その指先を一対のガイド部６２の間に差し入れるようにする。センサ２９に当てた指先は、一対のガイド部６２によって左右両側方から挟まれた状態となる。
【００５３】
便座（図示省略）への着座者（図示省略）がセンサ２９に指先を当てて脈波の検出（血管年齢の測定等）を行う際には、指先がセンサ２９から左右いずれの方向へ外れようとした場合でも、指先がいずれかのガイド部６２に当たるので、指先をセンサ２９に当てた状態に確実に保つことができる。また、指先を、平面視で斜めとなるように向きを変えるようにしてガイド部６２を押すと、回転部材５４が回転し、センサ２９と一体的に指先の向きや位置を自在に変えることができる。
【００５４】
このとき、スライダ６０が回転軸５５から離れた位置（図９を参照）にある場合と、回転軸５５の近傍位置（図１０を参照）にある場合とでは、回転軸５５を中心に回転するときのセンサ２９と指先の軌跡が異なる。スライダ６０が回転軸５５から離れた位置にある場合は、センサ２９と指先が、回転軸５５を中心として偏心回転（公転）するように変位する。スライダ６０が回転軸５５の近傍位置にある場合は、センサ２９の平面視における中心が回転軸５５と近接するので、センサ２９と指先が、その場で自転するように変位する。
【００５５】
また、センサ２９に当てている指先で一方のガイド部６２を押圧すると、スライダ６０が回転部材５４に対し径方向へスライドするので、センサ２９と指先も回転部材５４に対し径方向へ平行移動させることができる。このとき、指先でガイド部６２を押す方向を適宜に変えることにより、センサ２９と指先を回転させながら、同時に、径方向へ移動させることもできる。
【００５６】
上述のように、指先とセンサ２９の向きと位置を変えるようにすれば、便座（図示省略）への着座者（図示省略）は、無理な体勢を強いられることなく、センサ２９による生体情報の測定を行うことができる。これにより、センサ２９による生体情報の検出を高い精度で行うことができる。また、回転部材５４には、回転部材５４に対し径方向に相対変位可能なスライダ６０が設けられ、センサ２９がスライダ６０に一体的に変位し得るように設けられている。この構成によれば、センサ２９が、回転軸５５を中心とする周方向と、回転軸５５から放射する方向となる径方向との両方向に変位し得るようになっているので、便座への着座者は、楽な姿勢で指先をセンサ２９に当てることができる。
【００５７】
＜実施例４＞
次に、本発明を具体化した実施例４を図１１〜図１２を参照して説明する。本実施例４のペーパーホルダ付きリモコンユニット７０（請求項に記載のトイレ用付帯装置）は、ホルダ機能部（図示省略）とリモコン機能部７１（トイレ用リモコン）とを備えて構成されており、リモコン機能部７１におけるセンサ２９の取付け形態を上記実施例３とは異なる構成としたものである。その他の構成については上記実施例３と同じであるため、同じ構成については、同一符号を付し、構造、作用及び効果の説明は省略する。
【００５８】
リモコン機能部７１の筐体７２の水平な指当て面７３（上面）には、回転部材７４とスライダ８０とガイド部８２とセンサ２９とが設けられている。回転部材７４は、円形の板状部材であり、筐体７２に対し上下方向の回転軸７５を中心として正逆両方向へ且つ回転角度の制約なく自在に回転し得るように設けられている。回転部材７４には、回転部材７４の上面に開口した収容凹部７６が形成されている。収容凹部７６の開口縁部の平面視形状は、回転部材７４の外周縁の内側に沿った一対の円弧状開口縁７７と、一対の円弧状開口縁７７の周方向両端同士を連結する一対の直線状開口縁７８とから構成された形状（長円形に近い形状）である。
【００５９】
一対の直線状開口縁７８は、互いに平行をなし、回転部材７４の回転軸７５を挟んで対称な位置関係となっている。したがって、一対の直線状開口縁７８は、回転部材７４において回転軸７５を通る径方向に対して平行をなしている。収容凹部７６の内側面のうち一対の直線状開口縁７８に沿った領域には、一対のガイドリブ７９が形成されている。一対のガイドリブ７９は一対の直線状開口縁７８の全長に亘って形成されている。
【００６０】
回転部材７４には、スライダ８０が一体回転し得るように取り付けられている。スライダ８０の平面視形状は、円弧状開口縁７７と同じ曲率の一対の円弧部８０Ｃと、一対の円弧部８０Ｃの周方向両端同士を連結する一対の直線部８０Ｓとから構成された形状（長円形に近い形状）である。一対の直線部８０Ｓ同士の間隔は、一対の直線状開口縁７８同士の間隔とほぼ同じ寸法である。直線部８０Ｓの長さは直線状開口縁７８の長さよりも短い。スライダ８０の外側面のうち一対の直線部８０Ｓに沿った領域には、一対のガイド溝８１が形成されている。一対のガイドリブ７９は一対の直線状開口縁７８の全長に亘って形成されている。
【００６１】
スライダ８０は、一対のガイド溝８１を一対のガイドリブ７９に摺動可能に嵌合させて収容凹部７６に収容された状態で、回転部材７４に取り付けられている。ガイド溝８１の長さは、ガイドリブ７９の長さよりも短いので、スライダ８０は、ガイドリブ７９に沿って回転部材７４の径方向にスライドし得るようになっている。つまり、スライダ８０は、回転部材７４に対し回転軸７５を中心として一体的に回転可能となっているとともに、回転部材７４に対し径方向（回転軸７５と直交する水平方向）へ相対変位し得るようになっている。
【００６２】
スライダ８０の上面には、実施例１〜３と同一形態のセンサ２９が一体的に変位し得るように設けられている。センサ２９は、その外周縁の長辺がガイドリブ７９と平行をなす向きに配置されている。つまり、一対の発光素子３２と１つの受光素子３３の並ぶ方向は、回転部材７４に対するスライダ８０の相対変位方向と平行となる。
【００６３】
また、スライダ８０の上面には、一対のガイド部８２がスライダ８０と一体に移動し得るように形成されている。一対のガイド部８２は、スライダ８０の上面から略直角に且つ方形の壁状に立ち上がった形態である。一対のガイド部８２は、センサ２９の外周縁における一対の長辺に沿うように、且つセンサ２９を両側から挟むような位置関係で配置されている。
【００６４】
したがって、ガイド部８２とセンサ２９の並び方向（ガイド部８２がセンサ２９を挟んで対向する方向）は、回転部材７４に対するスライダ８０の相対変位方向と直交する方向である。センサ２９に指先を載せて当てるときには、その指先を一対のガイド部８２の間に差し入れるようにする。センサ２９に当てた指先は、一対のガイド部８２によって左右両側方から挟まれた状態となる。
【００６５】
便座（図示省略）への着座者（図示省略）がセンサ２９に指先を当てて脈波の検出（血管年齢の測定等）を行う際には、指先がセンサ２９から左右いずれの方向へ外れようとした場合でも、指先がいずれかのガイド部８２に当たるので、指先をセンサ２９に当てた状態に確実に保つことができる。また、指先を、平面視で斜めとなるように向きを変えるようにしてガイド部８２を押すと、回転部材７４が回転し、センサ２９と一体的に指先の向きや位置を自在に変えることができる。
【００６６】
このとき、スライダ８０が回転軸７５から離れた位置（図１１を参照）にある場合と、回転軸７５の近傍位置（図１２を参照）にある場合とでは、回転軸７５を中心に回転するときのセンサ２９と指先の軌跡が異なる。スライダ８０が回転軸７５から離れた位置にある場合は、センサ２９と指先が、回転軸７５を中心として偏心回転（公転）するように変位する。スライダ８０が回転軸７５の近傍位置にある場合は、センサ２９の平面視における中心が回転軸７５と近接するので、センサ２９と指先が、その場で自転するように変位する。
【００６７】
また、センサ２９に対する指先の押し当て力を強め、指先からセンサ２９に対しその長辺方向の押し引き力を付与すると、センサ２９と指先を、スライダ８０と一体の状態で回転部材７４に対し径方向へ平行移動させることができる。このとき、指先でガイド部８２を押す方向を適宜に変えることにより、センサ２９と指先を回転させながら、同時に、径方向へ移動させることもできる。
【００６８】
上述のように、指先とセンサ２９の向きと位置を変えるようにすれば、便座への着座者は、無理な体勢を強いられることなく、センサ２９による生体情報の測定を行うことができる。これにより、センサ２９による生体情報の検出を高い精度で行うことができる。また、回転部材７４には、回転部材７４に対し径方向に相対変位可能なスライダ８０が設けられ、センサ２９がスライダ８０に一体的に変位し得るように設けられている。この構成によれば、センサ２９が、回転軸７５を中心とする周方向と、回転軸７５から放射する方向となる径方向との両方向に変位し得るようになっているので、便座への着座者は、楽な姿勢で指先をセンサ２９に当てることができる。
【００６９】
＜他の実施例＞
本発明は上記記述及び図面によって説明した実施例に限定されるものではなく、例えば次のような実施例も本発明の技術的範囲に含まれる。
（１）上記実施例１，２では、センサの平面視の中心位置が、回転軸から径方向へ偏心した位置に設定されているが、センサの平面視の中心が、回転軸と合致した位置に設定されていてもよい。
（２）上記実施例１〜４では、筐体の上面が水平な平面であるが、筐体の上面は、水平面に対して傾斜した平面であってもよい。
（３）上記実施例２〜４では、一対のガイド部が、センサに当てた指を左右から挟むように、又は左右両側から対向するように配置されているが、１つのガイド部を、センサに当てた指に対し左右いずれか一方の側から対向するように配置してもよい。
（４）上記実施例２〜４では、ガイド部が、センサに当てた指に対し側方から対向するように配置されているが、ガイド部は、センサに当てた指の指先（先端）に対し前方から対向するように配置してもよい。
（５）上記実施例１〜４では、トイレ用付帯装置が、ペーパーホルダ付きリモコンユニットであるが、トイレ用付帯装置は、便器本体に付帯する電動装置（便器洗浄装置、局部洗浄装置、擬音装置、便蓋開閉装置、便座開閉装置、便座暖房装置、温風装置、消臭装置等）を遠隔操作可能であってトイレ室の壁面に取り付けられるリモコン、リモコンを具備しないペーパーホルダ、便器本体の側方に設けられて上記電動装置を操作するための袖形アーム部、収納機能を備えたキャビネット、カウンター、タオル掛け、手洗い等であってもよい。
【符号の説明】
【００７０】
１０…トイレ装置
１１…便器装置
１２…便器本体
１４…便座
１７…電動装置
２０，４０，５０，７０…ペーパーホルダ付きリモコンユニット（トイレ用付帯装置）
２１…ホルダ機能部
２２，４１，５１，７１…リモコン機能部
２３，４２，５２，７２…筐体
２７，４６，５４，７４…回転部材
２８，４７，５５，７５…回転軸
２９…センサ
２９Ａ…センサの平面視の中心
４８，６２，８２…ガイド部
６０，８０…スライダ
Ｐ…トイレットペーパー
【図１】
2019080639.tif 000003
【図２】
2019080639.tif 000004
【図３】
2019080639.tif 000005
【図４】
2019080639.tif 000006
【図５】
2019080639.tif 000007
【図６】
2019080639.tif 000008
【図７】
2019080639.tif 000009
【図８】
2019080639.tif 000010
【図９】
2019080639.tif 000011
【図１０】
2019080639.tif 000012
【図１１】
2019080639.tif 000013
【図１２】
2019080639.tif 000014